(57)【要約】【課題】コンテンツの記録を停止する際の操作負担を軽減させる。【解決手段】デジタルテレビジョン放送受信装置１００は、番組を受信する複数のデジタルチューナ部１２４、１２７と、受信した複数の番組のうちいずれか一つ以上を録画するＨＤＤ１１１と、受信した複数の番組のうちいずれか一方を表示する表示制御部１５３と、ＨＤＤ１１１に対する番組を録画停止の操作を受け付ける受付部１５５と、複数の番組を記録している時に、録画停止の操作を受け付けた場合、複数の番組のうちいずれか一方が表示制御部１５３により表示されるか否かに基づいて、複数の番組のうち、録画の停止対象としてカーソルで選択状態とすべき番組を特定する特定部１５４と、特定された番組が選択された状態で、選択可能な番組を含む録画中止ダイアログを表示する選択表示制御部１５６と、表示された複数の番組のうち、いずれか一つの選択を受け付ける選択受付部１５７と、を備える。【選択図】図２
2010200156.tif 000002
【特許請求の範囲】
【請求項１】
コンテンツを受信する複数のチューナと、
前記複数のチューナ毎に受信した複数のコンテンツのうちいずれか一つ以上を記録する記録手段と、
前記チューナが受信した前記複数のコンテンツのうちいずれか一方を表示する表示手段と、
前記記録手段に対する前記コンテンツの記録を停止する操作を受け付ける受付手段と、
前記複数のコンテンツを記録している時に、前記受付手段が記録を停止する操作を受け付けた場合、前記複数のコンテンツのうちいずれか一方が前記表示手段により表示されるか否かに基づいて、前記複数のコンテンツのうち、記録の停止対象として選択状態とすべき前記コンテンツを特定する特定手段と、
前記特定手段に特定された前記コンテンツが選択された状態で、停止対象として選択可能なコンテンツを表示する選択表示手段と、
前記選択表示手段が表示した前記複数のコンテンツのうち、いずれか一つの選択を受け付ける選択受付手段と、
を備えること特徴とするテレビジョン受信装置。
【請求項２】
前記表示手段は、前記チューナが受信した前記複数のコンテンツを同時に表示し、
前記特定手段は、前記複数のコンテンツの表示状況に基づいて、選択状態とすべき前記コンテンツを特定すること、
を特徴とする請求項１に記載のテレビジョン受信装置。
【請求項３】
前記表示手段が同時に表示している前記複数のコンテンツのうち、いずれか一方の音声を出力する音声出力手段を、さらに備え、
前記特定手段は、同時に表示している前記複数のコンテンツのうち、前記音声出力手段が音声を出力している前記コンテンツを、選択状態とすべき前記コンテンツとして特定すること、
を特徴とする請求項２に記載のテレビジョン受信装置。
【請求項４】
前記表示手段は、前記複数のコンテンツが記録中であることを示す表示情報を表示すること、
を特徴とする請求項２又は３に記載のテレビジョン受信装置。
【請求項５】
前記特定手段は、前記表示手段が現在表示している前記コンテンツを、選択状態とすべき前記コンテンツとして特定すること、
を特徴とする請求項１乃至４のいずれか一つに記載のテレビジョン受信装置。
【請求項６】
前記特定手段は、前記複数のコンテンツのうち、前記表示手段が過去に表示したことがある前記コンテンツを、選択状態とすべき前記コンテンツとして特定すること、
を特徴とする請求項１乃至４のいずれか一つに記載のテレビジョン受信装置。
【請求項７】
前記特定手段は、前記複数のコンテンツのうち、前記表示手段が直近で表示していた前記コンテンツを、選択状態とすべき前記コンテンツとして特定すること、
を特徴とする請求項６に記載のテレビジョン受信装置。
【請求項８】
テレビジョン受信装置で実行される表示制御方法であって、
前記テレビジョン受信装置は、コンテンツを受信する複数のチューナと、
前記複数のチューナ毎に受信した複数のコンテンツのうちいずれか一つ以上を記録する記録手段と、を備え、
表示手段が、前記チューナが受信した前記複数のコンテンツのうちいずれか一方を表示する表示ステップと、
受付手段が、前記記録手段に対する前記コンテンツの記録を停止する操作を受け付ける受付ステップと、
特定手段が、前記複数のコンテンツを記録している時に、前記受付ステップが記録を停止する操作を受け付けた場合、前記複数のコンテンツのうちいずれか一方が前記表示手段により表示されるか否かに基づいて、前記複数のコンテンツのうち、記録の停止対象として選択状態とすべき前記コンテンツを特定する特定ステップと、
選択表示手段が、前記特定ステップに特定された前記コンテンツが選択された状態で、停止対象として選択可能なコンテンツ一覧を表示する選択表示ステップと、
選択受付手段が、前記選択表示ステップが表示した前記複数のコンテンツのうち、いずれか一つの選択を受け付ける選択受付ステップと、
を有すること特徴とする表示制御方法。
【発明の詳細な説明】
【技術分野】
【０００１】
本発明は、複数のコンテンツを記憶する際の表示制御を行うテレビジョン受信装置、及び表示制御方法に関する。
【背景技術】
【０００２】
近年、テレビのデジタル化対応の進展に合わせて、テレビに様々な機能を搭載する傾向がある。例えば、テレビジョン受信装置として、番組を記録するために記憶装置を搭載することで、番組を録画する録画装置と接続されて無くとも、番組の録画及び再生可能な製品が提供されている。
【０００３】
ところで、番組録画装置においては、複数のチューナを搭載することで、複数の番組を同時録画する製品が提供されている。そこで、テレビジョン受信装置においても、複数のチューナを搭載することで、複数の番組を同時に録画可能となる。
【０００４】
このように、テレビジョン受信装置で複数の番組を同時に録画している場合において、録画を停止したい状況も存在する。そこで、複数の番組を同時に録画している場合に、録画を停止する技術としては、例えば、特許文献１に記載された技術が存在する。特許文献１には、ユーザの操作に従って、いずれかの番組の録画を停止させる技術が記載されている。
【先行技術文献】
【特許文献】
【０００５】
【特許文献１】特開２００１−１９７４１３号公報
【発明の概要】
【発明が解決しようとする課題】
【０００６】
しかしながら、引用文献１に記載された技術では、複数の番組のうちどちらを優先して停止すべきかについては考慮されていない。このため、ユーザにおいて、複数の番組のうち、どちらかを停止させるか選択するという操作負担が生じる。
【０００７】
本発明は、上記に鑑みてなされたものであって、操作負担を軽減させるテレビジョン受信装置、及び表示制御方法を提供する。
【課題を解決するための手段】
【０００８】
上述した課題を解決し、目的を達成するために、本発明にかかるテレビジョン受信装置は、コンテンツを受信する複数のチューナと、前記複数のチューナ毎に受信した複数のコンテンツのうちいずれか一つ以上を記録する記録手段と、前記チューナが受信した前記複数のコンテンツのうちいずれか一方を表示する表示手段と、前記記録手段に対する前記コンテンツの記録を停止する操作を受け付ける受付手段と、前記複数のコンテンツを記録している時に、前記受付手段が記録を停止する操作を受け付けた場合、前記複数のコンテンツのうちいずれか一方が前記表示手段により表示されるか否かに基づいて、前記複数のコンテンツのうち、記録の停止対象として選択状態とすべき前記コンテンツを特定する特定手段と、前記特定手段に特定された前記コンテンツが選択された状態で、停止対象として選択可能なコンテンツを表示する選択表示手段と、前記選択表示手段が表示した前記複数のコンテンツのうち、いずれか一つの選択を受け付ける選択受付手段と、を備えることを特徴とする。
【０００９】
また、本発明にかかる表示制御方法は、テレビジョン受信装置で実行される表示制御方法であって、前記テレビジョン受信装置は、コンテンツを受信する複数のチューナと、前記複数のチューナ毎に受信した複数のコンテンツのうちいずれか一つ以上を記録する記録手段と、を備え、表示手段が、前記チューナが受信した前記複数のコンテンツのうちいずれか一方を表示する表示ステップと、受付手段が、前記記録手段に対する前記コンテンツの記録を停止する操作を受け付ける受付ステップと、特定手段が、前記複数のコンテンツを記録している時に、前記受付ステップが記録を停止する操作を受け付けた場合、前記複数のコンテンツのうちいずれか一方が前記表示手段により表示されるか否かに基づいて、前記複数のコンテンツのうち、記録の停止対象として選択状態とすべき前記コンテンツを特定する特定ステップと、選択表示手段が、前記特定ステップに特定された前記コンテンツが選択された状態で、停止対象として選択可能なコンテンツ一覧を表示する選択表示ステップと、選択受付手段が、前記選択表示ステップが表示した前記複数のコンテンツのうち、いずれか一つの選択を受け付ける選択受付ステップと、を有することを特徴とする。
【発明の効果】
【００１０】
本発明によれば、ユーザがコンテンツを選択する手間を省けるため、操作性を向上させることができるという効果を奏する。
【図面の簡単な説明】
【００１１】
【図１】図１は、第１の実施の形態で説明するデジタルテレビジョン受信装置の正面側の外観を示す図である。
【図２】図２は、第１の実施の形態にかかるデジタルテレビジョン受信装置のハードウェアの概略構成を示すブロック図である。
【図３】図３は、デジタルテレビジョン受信装置における、番組の録画を実行している時に、録画停止の操作を受け付ける場合の処理を示すフローチャートである。
【図４】図４は、第１の実施の形態にかかる表示制御部による番組表示制御で、液晶表示パネルに表示される画面例を示す図である。
【図５】図５は、第１の実施の形態にかかる選択表示制御部により表示される、録画中止ダイアログによる番組選択画面の例を示す図である。
【図６】図６は、第１の実施の形態にかかる選択表示制御部により表示される、図５のダイアログ上で選択された番組の録画を中止するか否かを選択させる画面例を示す図である。
【図７】図７は、第１の実施の形態にかかる表示制御部により表示される、番組の録画が停止されたことが示されたダイアログの例を示した図である。
【図８】図８は、第２の実施の形態にかかるデジタルテレビジョン受信装置のハードウェアの概略構成を示すブロック図である。
【図９】図９は、第２の実施の形態にかかる表示制御部による番組表示制御で、液晶表示パネルに表示される画面の例を示す図である。
【図１０】図１０は、第２の実施の形態にかかる選択表示制御部により表示される、録画中止ダイアログによる番組選択画面の例を示す図である。
【発明を実施するための形態】
【００１２】
以下に添付図面を参照して、この発明にかかるテレビジョン受信装置、及び表示制御方法の最良な実施の形態を詳細に説明する。
【００１３】
（第１の実施の形態）
図１は、第１の実施の形態で説明するデジタルテレビジョン受信装置１００の正面側の外観を示す図である。
【００１４】
図１に示すように、デジタルテレビジョン受信装置１００は、主として、装置本体となるほぼ四角形状に形成された薄型のキャビネット１１と、当該キャビネット１１を起立させて支持するスタンド１２と、から構成されている。
【００１５】
キャビネット１１は、平面型の液晶表示パネル１３と、右側スピーカ１４ａと、左側スピーカ１４ｂと、状態表示部１５と、リモートコントローラから送信される操作情報を受信する受光部１６と、を備えている。状態表示部１５は、電源の有無などをＬＥＤによる発光で表示する。
【００１６】
図２は、第１の実施の形態にかかるデジタルテレビジョン受信装置１００のハードウェアの概略構成を示すブロック図である。第１の実施の形態にかかるデジタルテレビジョン受信装置１００では、記録媒体としてハードディスクを搭載した例を示すが、例えば半導体メモリによる記録媒体などに置換してもよい。
【００１７】
図２に示すブロック図では、ハードディスクを内蔵した録画機能を有するテレビの概略構成を表している。すなわち、デジタルテレビジョン受信装置１００には、エンコーダや記録媒体などを含む本体機能ユニット１１０がテレビに内蔵されているイメージである。この本体機能ユニット１１０内の各ブロックを右側と左側で大きく分ける。すると、左側は、コンテンツを受信する受信部、及び受信したコンテンツを記録する記録部で主なブロックを構成される。そして、右側は、受信又は記録したコンテンツを再生する再生部の主なブロックで構成される。
【００１８】
図２のデジタルテレビジョン受信装置１００は、記録媒体としてのハードディスクを駆動するＨＤＤ(Hard Disk Drive)１１１を有している。データプロセッサ部１１２は、ＨＤＤ１１１にコンテンツを供給し、また、再生されたコンテンツを受け取るものであり、バッファ回路、変調・復調回路、エラー訂正部などを含む。さらに、データプロセッサ部１１２は、再生されたコンテンツを、ＰＳデコーダ部１１４に出力する。
【００１９】
図２のデジタルテレビジョン受信装置１００は、受信側を構成するＡ／Ｖ入力部１１８とＴＶチューナ部１１９と第１デジタルチューナ部１２４と第２デジタルチューナ部１２７、録画側を構成するＰＳエンコーダ部１１３とストリームプロセッサ部１２５、再生側を構成するＰＳデコーダ部１１４とＴＳデコーダ部１２６、及び装置本体の動作を制御するマイクロコンピュータブロック１１５とを主たる構成要素としている。
【００２０】
Ａ／Ｖ入力部１１８は、外部装置から、外部アナログビデオ信号と外部アナログオーディオ信号とによる、コンテンツの入力を受け付ける。
【００２１】
ＴＶチューナ部１１９は、アナログ放送信号（アナログビデオ信号とアナログオーディオ信号とを含む）による番組（コンテンツ）を受信する。ここで、ＴＶチューナ部１１９に入力されるアナログ放送信号には、ＥＰＣ（ELECTRONIC  PROGRAM  GUIDE、電子番組表）画面の表示に使用されるアナログ放送の番組情報も重畳されている。
【００２２】
ＰＳエンコーダ部１１３は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２３】
ＰＳエンコーダ部１１３の出力は、バッファメモリ１１７を含むフォーマッタ１１６にて所定のフォーマットに変換され、先のデータプロセッサ部１１２に供給される。
【００２４】
ＰＳエンコーダ部１１３には、ＡＶ入力部１１８からの外部アナログビデオ信号と外部アナログオーディオ信号、あるいはＴＶチューナ部１１９からのアナログビデオ信号とアナログオーディオ信号が入力される。
【００２５】
なお、ＰＳエンコーダ部１１３は、アナログデジタル変換されたデジタルビデオ信号やオーディオ信号をエンコードすることなく、ビデオミキシング部１２０やオーディオセレクタ１２１に直接供給することもできる。
【００２６】
ＰＳエンコーダ部１１３に含まれるビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２７】
エンコードされたデジタルビデオ信号、デジタルオーディオ信号、副映像データは、フォーマッタ１１６によりパック化され、ビデオパック、オーディオパック、副映像パックとなり、さらにこれらが集合されてＨＤＤ１１１への記録に適したフォーマットに変換される。
【００２８】
ここで、図２のデジタルテレビジョン受信装置１００は、フォーマッタ１１６でフォーマット化された情報（ビデオ、オーディオ、副映像データなどのパック）及び作成された管理情報を、データプロセッサ部１１２を介してＨＤＤ１１１に出力する。そしてＨＤＤ１１１が供給して記録することができる。
【００２９】
上記のＰＳエンコーダ部１１３は、主にアナログ放送のコンテンツの記録に使用される。一方、地上波／ＢＳ／ＣＳなどのデジタル放送のコンテンツを記録する場合は、以下で述べる第１デジタルチューナ部１２４およびストリームプロセッサ部１２５が使用される。
【００３０】
地上波／ＢＳ／ＣＳデジタル放送の場合、映像や音声は既に放送局側でエンコードされており、ＭＰＥＧ２−ＴＳ信号の形で送出されている。ＭＰＥＧ２−ＴＳ信号では、小さなＴＳパケットに分割された様々な番組の映像データや音声データなどが多重化されている。この中には、デジタル放送の規格で規定された様々な管理情報もパケット化されて含められている。
【００３１】
また、ＥＰＧ（ELECTRONIC  PROGRAM  GUIDE、電子番組表）画面の表示に使用されるデジタル放送の番組情報も、同様にパケット化されて含められている。
【００３２】
第１デジタルチューナ部１２４は、地上波／ＢＳ／ＣＳデジタル放送によるＭＰＥＧ２−ＴＳ信号を受信し、当該ＭＰＥＧ２−ＴＳ信号の中からユーザーが選択した番組の映像や音声などのＴＳパケットを抽出してストリームプロセッサ部１２５に入力する。また、第２デジタルチューナ部１２７も、第１デジタルチューナ部１２４と同様の処理を行うものとする。このように、この様にデジタルチューナを複数備えることで、デジタル放送信号による番組を複数同時に受信できる。これにより、複数画面同時表示や、複数番組同時録画を可能としている。
【００３３】
ストリームプロセッサ部１２５は、小さなＴＳパケットに分割された映像データや音声データをＨＤＤ１１１への記録に適した大きいサイズのパケットに加工するなどの変換処理を行う。変換された情報は、データプロセッサ部１１２を介してＨＤＤ１１１に供給して記録される。
【００３４】
ＰＳデコーダ部１１４は、パック構造を持って記録されている多重信号から映像や音声などの各パックを分離して取り出すセパレータと、パック分離やその他の信号処理実行時に使用するメモリと、セパレータで分離された主映像データ（ビデオパックの内容）をデコードするビデオデコーダと、セパレータで分離された副映像データ（副映像パックの内容）をデコードするサブピクチャデコーダと、セパレータで分離されたオーディオデータ（オーディオパックの内容）をデコードするオーディオデコーダとを有する。またデコードされた主映像にデコードされた副映像を適宜合成し、主映像にメニュー、ハイライトボタン、字幕やその他の副映像を重ねて出力するビデオプロセッサを備えている。
【００３５】
ＰＳデコーダ部１１４の出力ビデオ信号は、ビデオミキシング部１２０に入力される。ビデオミキシング部１２０では、テキストデータの合成が行われる。またビデオミキシング部１２０には、ＴＶチューナ部１１９やＡＶ入力部１１８からの信号を直接取り込むラインもまた接続されている。ビデオミキシング部１２０には、バッファとして用いるフレームメモリ部１２２が接続されている。ビデオミキシング部１２０の出力がアナログ出力の場合はＩ／Ｆ（インタフェース）１３３を介して外部出力され、デジタル出力の場合はデジタルアナログ変換器１３４を介して外部へ出力される。
【００３６】
ＰＳデコーダ部１１４の出力オーディオ信号は、オーディオセレクタ１２１を介してデジタルアナログ変換器（Ｄ／Ａ）１２３でアナログ変換され外部に出力される。セレクタ１２１は、マイクロコンピュータブロック１１５からのセレクト信号により制御される。これによりセレクタ１２１は、ＴＶチューナ部１１９やＡＶ入力部１１８からのデジタル信号を直接モニタする時、ＰＳエンコーダ部１１３をスルーした信号を直接選択することも可能である。
【００３７】
上記のＰＳデコーダ部１１４は、主にＰＳエンコーダ部１１３でエンコードされてハードディスクに記録されたアナログ放送のコンテンツの再生に使用される。一方、記録された地上波／ＢＳ／ＣＳデジタル放送のコンテンツを再生する場合には、ＴＳデコーダ部１２６が使用される。
【００３８】
ＴＳデコーダ部１２６は、記録されている多重信号から映像や音声などを分離して取り出すセパレータと、分離された映像データをデコードするビデオデコーダと、同じく分離された音声データをデコードするオーディオデコーダとを有する。ＴＳデコーダ部１２６の出力ビデオ信号は、上記ＰＳデコーダ部１１４の出力ビデオ信号と同様に、ビデオミキシング部１２０に入力される。また、ＴＳデコーダ部１２６の出力オーディオ信号も、上記ＰＳデコーダ部１１４の出力オーディオ信号と同様にセレクタ１２１を介してデジタルアナログ変換器１２３でアナログ変換され外部に出力される。以後の動作は上記ＰＳデコーダ部１１４の場合にほぼ準じるので、ここでは説明を省略する。
【００３９】
データプロセッサ部１１２は、アナログ放送のコンテンツを録画する場合はＰＳエンコーダ部１１３のフォーマッタ１１６から、またデジタル放送のコンテンツを録画する場合はストリームプロセッサ部１２５から、それぞれデータを受け取ってＨＤＤ１１１に供給している。またマイクロコンピュータブロック１１５のＭＰＵは、記録したデータを再生するのに必要な管理情報を作成し、データ記録終了のコマンドを認識すると、作成した管理情報をデータプロセッサ部１１２に送る。これにより、管理情報がディスクに記録される。また、マイクロコンピュータブロック１１５のＭＰＵは、記録開始時にはハードディスクから読み取ったファイルシステムの管理情報を認識し、ハードディスクの未記録エリアを認識し、データの記録エリアをデータプロセッサ部１１２を介してＨＤＤ１１１に設定している。
【００４０】
キー入力部１３１は、デジタルテレビジョン受信装置１００が備える操作部から入力された操作情報のほか、受光部１６を介して入力されたリモートコントローラ（図示しない）から入力された操作情報の入力を受け付ける。
【００４１】
マイクロコンピュータブロック１１５は、図示しないＭＰＵと、制御プログラム等が書きこまれたＲＯＭ（図示しない）と、プログラム実行に必要なワークエリアを提供するためのワークエリアＲＡＭ１５１と、を含んでいる。
【００４２】
なお、マイクロコンピュータブロック１１５が、ＨＤＤ１１１、データプロセッサ部１１２、ＰＳエンコーダ部１１３やストリームプロセッサ部１２５、ＰＳデコーダ部１１４やＴＳデコーダ部１２６などを制御するタイミングは、ＳＴＣ（システムタイムクロック）１３２からの時間データに基づいて実行することができる。録画や再生の動作は、通常はＳＴＣ１３２からのタイムクロックに同期して実行されるが、それ以外の処理はＳＴＣ１３２とは独立したタイミングで実行されてもよい。
【００４３】
マイクロコンピュータブロック１１５のＭＰＵは、ワークＲＡＭ１５１をワークエリアとして用いて、ＲＯＭに格納された制御プログラムとの協働により、録画制御部１５２と、表示制御部１５３と、特定部１５４と、受付部１５５との各機能部を実現する。
【００４４】
受付部１５５は、選択受付部１５７を備え、キー入力部１３１から入力された操作情報を受け付ける。受付部１５５は、例えば、ＨＤＤ１１１による番組（コンテンツ）の録画（記録）の開始する旨や、停止する旨を示す操作情報を受け付ける。他には、受付部１５５は、番組や放送種別（地上デジタル、ＢＳ、ＣＳ又は地上アナログ）を変更する旨の操作情報を受け付ける。
【００４５】
録画制御部１５２は、受付部１５５が受け付けた操作情報に従って、複数のチューナ毎に受信した複数の番組のうちいずれか一つ以上の記録制御を、データプロセッサ部１１２に対して行う。当該記録制御により、データプロセッサ部１１２は、ＴＶチューナ部１１９が受信した番組（コンテンツ）、第１デジタルチューナ部１２４が受信した番組（コンテンツ）、及び第２デジタルチューナ部１２７が受信した番組（コンテンツ）のうちいずれか一つ以上の録画開始、及び録画停止を行うことができる。また、録画制御部１５２は、データプロセッサ部１１２に対して、複数の番組の同時録画するよう制御も行う。なお、本実施の形態においては、データプロセッサ部１１２が、同時に録画可能な番組数は２個とする。
【００４６】
表示制御部１５３は、選択表示制御部１５６を備え、上述した各構成を制御して、液晶表示パネル１３に対して表示する制御を行う。例えば、表示制御部１５３は、キー入力部１３１から入力された操作情報に従って、ＴＶチューナ部１１９、第１デジタルチューナ部１２４及び第２デジタルチューナ部１２７が受信した、複数の番組のうちいずれか一方を表示制御するよう、セレクタ１２１、ＰＳデコーダ部１１４及びＴＳデコーダ部１２６等に対して行う。
【００４７】
そして、デジタルテレビジョン受信装置１００が複数の番組を記録している時に、受付部１５５が記録を停止する旨の操作情報を受け付けた場合、特定部１５４は、録画を停止する番組を選択する録画中止ダイアログで、最初にカーソルで選択される番組を特定する。
【００４８】
本実施の形態においては、第１デジタルチューナ部１２４及び第２デジタルチューナ部１２７の両方から入力された番組を同時に録画している際、録画中のいずれか一方の番組を液晶表示パネル１３で表示しているのであれば、特定部１５４は、現在表示している番組を、カーソルで選択すべき番組と特定する。
【００４９】
この録画中止ダイアログの表示は、録画を停止する旨の操作を受け付けた場合に行われる。
【００５０】
ところで、デジタルテレビジョン受信装置１００では、２個のデジタルチューナ部を用いて、地上デジタル放送の番組を２つ同時に録画した場合、他の番組を受信するデジタルチューナが存在しないため、ユーザは他の番組を参照できない。もし、他の番組を参照したい場合には、番組の録画を停止する必要がある。このような状況でも録画中止ダイアログが表示される。
【００５１】
そして、録画中止ダイアログ上で最初にカーソルで選択する番組を、特定部１５４が、現在表示している番組を特定することとした。
【００５２】
これは、同時録画している時に、録画停止の操作を受け付けたのであれば、現在表示している番組の方が、停止される可能性が高いことに基づいている。すなわち、ユーザが現在閲覧している状況で、録画停止を受け付けた場合、当該番組は現在閲覧しているので、閲覧していない番組より、再度見直す（再生する）可能性が低いとと考えられる。そこで本実施の形態にかかるデジタルテレビジョン受信装置１００では、特定部１５４が、現在表示している番組を、カーソルで最初に選択すべき番組として、特定することとした。これにより、番組を選択するための操作手順が軽減されるため、操作負担を軽減できる。
【００５３】
選択表示制御部１５６は、特定された番組がカーソルで選択された録画中止ダイアログの表示制御を、ビデオミキシング部１２０に対して行う。これによりビデオミキシング部１２０が、出力ビデオ信号などと合成して、録画中止ダイアログを表示する。録画中止ダイアログは、録画中の番組一覧から、録画中止させる番組を選択させるためのダイアログ（選択画面）とする。
【００５４】
選択受付部１５７は、利用者の操作により、録画中止ダイアログに表示された番組一覧から、いずれか一つの番組の選択を受け付ける。その後、録画制御部１５２が、選択を受け付けた番組の録画を停止する制御を、データプロセッサ部１１２に対して行う。
【００５５】
図３は、デジタルテレビジョン受信装置１００における、番組の録画を実行している時に、録画停止の操作を受け付ける場合の処理を示すフローチャートである。
【００５６】
まず、録画制御部１５２が、データプロセッサ部１１２に対して番組の録画開始の制御を行っている（ステップＳ３０１）。録画開始された番組は、一つ以上であればよい。また、複数の番組を録画する場合に、録画開始する時間が異なっていても良い。さらに、複数の番組を録画する場合に、地上アナログ、地上デジタル、ＢＳ、ＣＳなどの放送種別が異なっていても良い。
【００５７】
次に、表示制御部１５３が、受付部１５５が受け付けた操作情報に従って、番組表示の制御を、セレクタ１２１、ＰＳデコーダ部１１４及びＴＳデコーダ部１２６等に対して行う(ステップＳ３０２）。
【００５８】
図４は、表示制御部１５３により番組表示制御で、液晶表示パネル１３に表示される画面例を示す図である。図４に示す例では、デジタルテレビジョン受信装置１００において、地上デジタル放送の番組が２つ同時に録画されているものとする。このため、表示制御部１５３が、地上デジタル放送の番組を２つ同時に録画中であることを示す表示情報４０１の表示を、ビデオミキシング部１２０に対して指示している。
【００５９】
その後、受付部１５５が、録画停止ボタンが押下されたことを示す操作情報の入力を受け付ける（ステップＳ３０３）。当該入力の受付をトリガーとして、本実施の形態にかかるデジタルテレビジョン受信装置１００では、一連の録画停止処理が開始される。
【００６０】
まずは、特定部１５４が、複数の番組を同時に録画しているか否かを判定する（ステップＳ３０４）。複数の番組を同時に録画していない（ステップＳ３０４：Ｎｏ）、すなわち、一つの番組しか録画していない場合は、ステップＳ３１０に処理が進む。
【００６１】
一方、特定部１５４が、複数の番組を同時に録画していると判定した場合（ステップＳ３０４：Ｙｅｓ）、液晶表示パネル１３に現在表示されている番組を、録画しているか否かを判定する（ステップＳ３０５）。特定部１５４が、現在表示されている番組を、録画していないと判定した場合（ステップＳ３０５：Ｎｏ）、録画開始が早いほうをカーソルの選択対象として特定する（ステップＳ３０６）。すなわち、ステップＳ３０６においては、録画開始時間が早い方の番組を録画停止処理の第１優先候補とみなしている。
【００６２】
そして、特定部１５４が、現在表示されている番組が録画されていると判定した場合（ステップＳ３０５：Ｙｅｓ）、表示中且つ録画中の番組を、カーソルの選択対象として特定する（ステップＳ３０７）。
【００６３】
その後、選択表示制御部１５６は、ステップＳ３０６及びステップＳ３０７で特定された番組がカーソルで選択された状態で、録画中止ダイアログによる番組選択画面を表示する制御を行う（ステップＳ３０８）。
【００６４】
図５は、選択表示制御部１５６により表示される、録画中止ダイアログによる番組選択画面の例を示す図である。図５に示す画面例は、地上デジタル放送の番組を２つ同時に録画している場合に、受付部１５５が、録画停止ボタンの押下を受け付けたために、選択表示制御部１５６が表示制御した画面とする。
【００６５】
図５に示す例では、録画中止ダイアログ５０１に、同時録画されている番組を示す番組名等が表示される。そして、液晶表示パネル１３には、番組「日本の侍」が表示されている。この場合、特定部１５４が、カーソルの選択対象として番組「日本の侍」を特定する。そこで、選択表示制御部１５６は、録画停止処理の第１優先候補として、番組「日本の侍」５０２がカーソルで選択された状態で、中止する番組の一覧が示された録画中止ダイアログを表示する。これにより、ユーザは、当該ダイアログ５０１上で、実際に録画を中止する番組を選択する。
【００６６】
図３に戻り、次に、選択受付部１５７が、ユーザの操作に従って、実際に録画を停止する番組の選択を受け付ける（ステップＳ３０９）。つまり、ステップＳ３０８では、録画中止する優先度が高い番組にカーソルで選択された状態で表示するが、最初にカーソルで選択された番組で良いか否かの判断は、ユーザにゆだねる。
【００６７】
その後、選択表示制御部１５６は、録画を中止するか否かの選択させるためのダイアログを表示する（ステップＳ３１０）。当該ダイアログでは、一つの番組しか録画していない場合には当該番組や、複数同時録画している状況で、ステップＳ３０９で選択を受け付けた番組に対して、本当に録画を中止するか否かの確認をユーザに確認させる画面を表示する。
【００６８】
図６は、選択表示制御部１５６により表示される、図５のダイアログ上で選択された番組の録画を中止するか否かを選択させる画面例を示す図である。図６に示す例では、本当に中止するか否かの確認を促すダイアログ６０１上に、録画中止の対象として選択された番組「日本の侍」６０２が表示されている。そして、この番組６０２に対し、本当に録画を中止するか否かを最終的にユーザに選択させる。
【００６９】
図３に戻り、選択受付部１５７が、録画中止の選択を受け付けたか否か判定する（ステップＳ３１１）。録画中止の選択を受け付けなかったと判定した場合（ステップＳ３１１：Ｎｏ）、録画を継続し、録画中止に関するダイアログの表示を停止し（ステップＳ３１４）、一連の処理を終了する。
【００７０】
一方、選択受付部１５７が、録画中止の選択を受け付けたと判定した場合（ステップＳ３１１：Ｙｅｓ）、録画制御部１５２が、選択された番組の録画を停止する処理を行う（ステップＳ３１２）。その後、表示制御部１５３は、番組の録画を中止したことが示されたダイアログを表示し（ステップＳ３１３）、一連の処理を終了する。
【００７１】
図７は、表示制御部１５３が表示する、番組の録画が停止されたことが示されたダイアログの例を示した図である。図７に示す画面例では、録画制御部１５２による、ユーザによって選択された番組「日本の侍」の録画の停止処理がおこなわれた後に、中止されたことを示すメッセージ７０１を表示制御部１５３が表示する。
【００７２】
上述した処理により、録画中止の番組を選択する際に、操作回数が低減するため、操作負担が軽減する。さらに、複数個のデジタルチューナで、同じ数だけ番組を録画している場合に、上述した処理で、録画が停止された場合に、録画が停止された番組を受信していたデジタルチューナに対する操作が可能となるため、ユーザが所望する番組を閲覧することが可能となる。
【００７３】
複数の番組を同時録画中に、現在表示しているコンテンツと同一のコンテンツの録画も行っている場合、当該コンテンツを録画停止対象コンテンツの第１優先候補としてカーソルを当てた状態で、録画中止画面で表示する停止操作画面を表示することで、ユーザの操作の煩雑さを低減することで利便性を向上させることができる。また、現在視聴中である番組については、録画停止対象として選択する手間を省けるので、ユーザの利便性を向上することができる。
【００７４】
（変形例）
また、上述した各実施の形態に限定されるものではなく、以下に例示するような種々の変形が可能である。
【００７５】
上述した第１の実施の形態においては、現在表示中の番組をカーソルで選択した状態で、停止対象の番組を一覧表示する例について説明した。しかしながら、カーソルで選択した状態とする番組を現在表示中に制限するものではない。
【００７６】
そこで、変形例としては、現在アナログＴＶチューナ部１１９から入力されたアナログ放送信号による番組を、液晶表示パネル１３で表示しているとともに、第１デジタルチューナ部１２４及び第２デジタルチューナ部１２７から入力された番組を同時に録画している状況で、受付部１５５が停止する旨の操作情報を受け付けた場合を想定している。この場合に録画している第１デジタルチューナ部１２４及び第２デジタルチューナ部１２７から入力された番組は、いずれも表示されていないため、第１の実施の形態のような特定はできない。そこで、変形例１の特定部は、第１デジタルチューナ部１２４及び第２デジタルチューナ部１２７から入力された番組のうち、液晶表示パネル１３に過去に表示したことがある番組を、カーソルで選択された状態とすべき番組として特定する。本変形例においては、過去に表示した番組については、ユーザが内容を確認しているため、他の番組より停止させる可能性が高い番組と考えられる。当該番組が、番組中止ダイアログで、カーソルで選択した状態で表示されるため、操作負担を軽減させることができる。
【００７７】
また、第１デジタルチューナ部１２４及び第２デジタルチューナ部１２７から入力された番組のいずれもが過去に表示されていた場合、特定部は、液晶表示パネル１３に直近で表示していた方の番組を、カーソルで選択された状態とすべき番組として特定する。これは、直前で内容を確認しているため、ユーザが当該番組の録画不要と判別した可能性が高いからである。そして、この特定された画面が番組中止ダイアログで、カーソルで選択した状態で表示されるため、操作負担を軽減させることができる。
【００７８】
（第２の実施の形態）
第１の実施の形態では、２個のデジタルチューナを備えた例について説明した。しかしながら、デジタルチューナの数を２個に制限するものではなく、３個以上存在しても良い。
【００７９】
そこで、第２の実施の形態では、デジタルテレビジョン受信装置８００が、３個のデジタルチューナを備えている場合について説明する。
【００８０】
図８は、第２の実施の形態にかかるデジタルテレビジョン受信装置８００のハードウェアの概略構成を示すブロック図である。図８に示す例では、本体機能ユニット８１０に、第３デジタルチューナ部８１１が追加され、マイクロコンピュータブロック１１５と格納された制御プログラムが異なるマイクロコンピュータブロック８５０に変更された点とする。
【００８１】
第３デジタルチューナ部８１１も、第１デジタルチューナ部１２４、第２デジタルチューナ部１２７と同様の処理を行うものとして、説明を省略する。
【００８２】
マイクロコンピュータブロック８５０のＭＰＵは、ワークＲＡＭ１５１をワークエリアとして用いて、ＲＯＭに格納された制御プログラムとの協働により、録画制御部１５２と、表示制御部８５２と、特定部８５１と、受付部１５５との各機能部を実現する。以下の説明では、上述した第１の実施の形態と同一の構成要素には同一の符号を付してその説明を省略している。
【００８３】
表示制御部８５２は、表示制御部１５３の機能の他に、第１デジタルチューナ部１２４、第２デジタルチューナ部１２７、第３デジタルチューナ部８１１及びＴＶチューナ部１１９により入力された番組のうち、液晶表示パネル１３に複数の番組を同時に表示する制御を行う。
【００８４】
図９は、表示制御部８５２により番組表示制御で、液晶表示パネル１３に表示される画面の例を示す図である。図９に示す例では、デジタルテレビジョン受信装置１００において、地上デジタル放送の２つの番組が同時表示されると共に、地上デジタル放送の番組が３つ同時に録画されているものとする。このため、表示制御部８５２が、地上デジタル放送の番組を３つ同時に録画中であることを示す表示情報の表示を、ビデオミキシング部１２０に対して指示している。これにより、符号９０１に示す表示情報が表示される。
【００８５】
また、表示制御部８５２により２つの番組が同時に表示制御されている場合においても、スピーカ１４ａ、１４ｂからは、２つの番組のうち、いずれか一方の番組の音声のみ出力する。これは、２つの番組の音声が同時に出力されると、出力された音声の内容をユーザが認識するのが難しくなることによる。
【００８６】
特定部８５１は、複数の番組が同時に表示されている場合に、当該複数の番組の表示状況に基づいて、停止対象として選択状態とすべき番組を特定する。本実施の形態にかかる特定部８５１は、表示状況として、スピーカ１４ａ、１４ｂが出力されている音声がどちらの番組かに基づいて、番組を特定する。すなわち、特定部８５１は、スピーカ１４ａ、１４ｂから音声を出力している番組を、停止対象としてカーソルで選択状態とすべき番組として特定する。
【００８７】
また、選択表示制御部８５３も、同様に、３個以上の番組から、録画停止する番組を選択するための録画中止ダイアログの表示制御を行う。
【００８８】
図１０は、選択表示制御部８５３により表示される、録画中止ダイアログによる番組選択画面の例を示す図である。図１０に示す画面例は、地上デジタル放送の番組を３つ同時に録画すると共に、２つの番組を同時表示している場合に、受付部１５５が、録画停止ボタンの押下を受け付けたために、選択表示制御部８５３により表示制御された画面とする。
【００８９】
図１０に示す例では、録画中止ダイアログ１００１に、同時録画されている番組を示す番組名等が表示される。そして、液晶表示パネル１３には、番組「日本の侍」と「愛の○△□」が表示されている。そして、スピーカ１４ａ、１４ｂからは、番組「日本の侍」の音声が出力されている。この場合、特定部８５１が、カーソルの選択対象として「日本の侍」を特定する。そこで、表示制御部８５２は、録画停止処理の第１優先候補として、番組「日本の侍」１００２がカーソルで選択された状態で、中止する番組の一覧が示された録画中止ダイアログを表示する。これにより、ユーザは、当該ダイアログ上で、実際に録画を中止する番組を選択する。
【００９０】
また、本実施の形態にかかるデジタルテレビジョン放送受信装置８００では、チューナを３個備えると共に、同時録画が行われた場合について説明した。しかしながら、チューナの数を３個に制限するものではなく、４個以上又は２個であっても良いものとする。
【００９１】
上述した第２の実施の形態にかかるデジタルテレビジョン放送受信装置８００では、第１の実施の形態で示した効果の他に、複数の番組を同時表示している場合でも、カーソルで選択するべき番組を特定できるので、操作負担をさらに軽減することができる。
【００９２】
なお、上述した実施の形態のデジタルテレビジョン受信装置で実行される制御プログラムは、ＲＯＭ等に予め組み込まれて提供される。
【００９３】
上述した実施の形態のデジタルテレビジョン受信装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９４】
さらに、上述した実施の形態のデジタルテレビジョン受信装置で実行される制御プログラムを、インターネット等のネットワークに接続されたコンピュータ上に格納し、ネットワーク経由でダウンロードさせることにより提供するように構成しても良い。また、上述した実施の形態のデジタルテレビジョン受信装置で実行される制御プログラムをインターネット等のネットワーク経由で提供または配布するように構成しても良い。
【００９５】
本実施の形態のデジタルテレビジョン受信装置で実行される制御プログラムは、上述した各部（録画制御部、表示制御部、特定部、受付部）を含むモジュール構成となっており、実際のハードウェアとしてはＣＰＵ（プロセッサ）が上記ＲＯＭから制御プログラムを読み出して実行することにより上記各部が主記憶装置上にロードされ、録画制御部、表示制御部、特定部、受付部が主記憶装置上に生成されるようになっている。
【００９６】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００９７】
１１  キャビネット
１２  スタンド
１３  液晶表示パネル
１４ａ  右側スピーカ
１４ｂ  左側スピーカ
１５  状態表示部
１６  受光部
１００、８００  デジタルテレビジョン受信装置
１１０、８１０  本体機能ユニット
１１１  ＨＤＤ
１１２  データプロセッサ部
１１３  ＰＳエンコーダ部
１１４  ＰＳデコーダ部
１１５、８５０  マイクロコンピュータブロック
１１６  フォーマッタ
１１７  バッファメモリ
１１８  Ａ／Ｖ入力部
１１９  ＴＶチューナ部
１２０  ビデオミキシング部
１２１  オーディオセレクタ
１２２  フレームメモリ部
１２３  デジタルアナログ変換器
１２４  第１デジタルチューナ部
１２５  ストリームプロセッサ部
１２６  ＴＳデコーダ部
１２７  第２デジタルチューナ部
１３１  キー入力部
１３２  ＳＴＣ
１３３  インタフェース
１３４  デジタルアナログ変換器
１５１  ワークＲＡＭ
１５２  録画制御部
１５３、８５２  表示制御部
１５４、８５１  特定部
１５５  受付部
１５６、８５３  選択表示制御部
１５７  選択受付部
８１１  第３デジタルチューナ部
【図１】
2010200156.tif 000003
【図２】
2010200156.tif 000004
【図３】
2010200156.tif 000005
【図４】
2010200156.tif 000006
【図５】
2010200156.tif 000007
【図６】
2010200156.tif 000008
【図７】
2010200156.tif 000009
【図８】
2010200156.tif 000010
【図９】
2010200156.tif 000011
【図１０】
2010200156.tif 000012